(57)【要約】【課題】水平姿勢に落とし込まれて使用されるテーブルの使用状態を安定させられるようにすること。【解決手段】テーブル移動装置１０Ｍは、テーブル本体１１を支持台に連結された支持アーム１２に対して、４節リンク機構１３を介して起倒回転可能に連結している。４節リンク機構１３は、テーブル本体１１と支持アーム１２とを短リンク１３Ａと長リンク１３Ｂとで連結し、テーブル本体１１が使用位置に落とし込まれることで支持アーム１２の係止部１２Ｃとテーブル本体１１とが当接し、短リンク１３Ａと長リンク１３Ｂとがそれぞれ支持アーム１２との連結点（回転軸１３Ａ２，１３Ｂ２）まわりに倒し込まれた状態となり、テーブル本体１１のどの領域部に押下方向の負荷がかけられても回転が係止された方向に作用力がかけられる構成とされている。【選択図】図１２
2015217783.tif 000002
【特許請求の範囲】
【請求項１】
乗物用テーブルであって、
物載せとなるテーブル本体と、
該テーブル本体をベースに対して動かせる状態に連結するテーブル移動装置と、を有し、
前記テーブル移動装置は、前記テーブル本体を前記ベースに連結された支持アームに対して、所定の退避角度まで起こし上げた退避位置と、物載せとして使用可能な水平角度まで落とし込んだ使用位置と、の間で起倒回転させられるように４節リンク機構を間に介して連結した構成となっており、
前記４節リンク機構は、前記テーブル本体と前記支持アームとを２本の連結リンクにより連結し、前記テーブル本体が前記使用位置に落とし込まれることにより当該４節リンク機構の回転が互いに相対回転する部位間の当接により係止される構成とされ、かつ、前記２本の連結リンクのうちの片方は前記テーブル本体を前記使用位置に落とし込む動きによって前記テーブル本体との連結点が前記支持アームとの連結点まわりに倒し込まれた姿勢状態となる構成とされて、前記テーブル本体のどの領域部に押下方向の負荷がかけられても前記４節リンク機構には前記当接により係止された方向の作用力がかけられて前記テーブル本体の前記退避位置に向けての回転移動を規制するようになっていることを特徴とする乗物用テーブル。
【請求項２】
請求項１に記載の乗物用テーブルであって、
前記支持アームが前記テーブル本体の起こし上げられる前記所定の退避角度に傾斜して設けられており、
前記２本の連結リンクのうちの一方が前記テーブル本体の回転半径方向の中間部と前記支持アームの傾斜した先の端部とを連結し、他方が前記テーブル本体の回転半径方向の内側の端部と前記支持アームの中間部とを連結し、前記一方が前記他方よりも短く構成されて前記テーブル本体を前記使用位置に落とし込む動きによって前記倒し込まれた姿勢状態となる構成とされていることを特徴とする乗物用テーブル。
【請求項３】
請求項１又は請求項２に記載の乗物用テーブルであって、
前記２本の連結リンクの双方が前記テーブル本体を前記使用位置に落とし込む動きによって前記倒し込まれた姿勢状態となる構成とされていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、物載せとなるテーブルが展開・収納可能に設けられた技術が知られている（特許文献１）。上記テーブルは、乗物用シートの側部のアームレストに対して回転可能に連結されており、着座者の前部に展開された使用位置と、同使用位置から横向きに跳ね上げてアームレストの外側面に重なる位置まで落とし込まれた収納位置と、の間で展開・収納できるようになっている。
【先行技術文献】
【特許文献】
【０００３】
【特許文献１】特開平９−７０３３４号公報
【発明の概要】
【発明が解決しようとする課題】
【０００４】
上記従来技術では、テーブルが使用位置に落とし込まれた状態で高さ方向にバタつける構成となっているため、使用性が悪い。本発明は、上述した問題を解決するものとして創案されたものであって、本発明が解決しようとする課題は、水平姿勢に落とし込まれて使用されるテーブルの使用状態を安定させられるようにすることにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体をベースに対して動かせる状態に連結するテーブル移動装置と、を有する。テーブル移動装置は、テーブル本体をベースに連結された支持アームに対して、所定の退避角度まで起こし上げた退避位置と、物載せとして使用可能な水平角度まで落とし込んだ使用位置と、の間で起倒回転させられるように４節リンク機構を間に介して連結した構成となっている。４節リンク機構は、テーブル本体と支持アームとを２本の連結リンクにより連結し、テーブル本体が使用位置に落とし込まれることにより４節リンク機構の回転が互いに相対回転する部位間の当接により係止される構成とされ、かつ、２本の連結リンクのうちの片方はテーブル本体を使用位置に落とし込む動きによってテーブル本体との連結点が支持アームとの連結点まわりに倒し込まれた姿勢状態となる構成とされて、テーブル本体のどの領域部に押下方向の負荷がかけられても４節リンク機構には上記当接により係止された方向の作用力がかけられて、テーブル本体の退避位置に向けての回転移動を規制するようになっている。
【０００７】
この第１の発明によれば、テーブル本体を使用位置に落とし込む動きによって、４節リンク機構が互いに相対回転する部位間の当接により回転が係止された状態となる。このとき、４節リンク機構は、テーブル本体との各連結点が支持アームとの各連結点まわりに倒し込まれた姿勢状態となって回転が係止された状態となる。これにより、４節リンク機構は、テーブル本体のどの領域部に押下方向の負荷がかけられても、その回転が係止された方向に押圧力を受ける状態として、テーブル本体の退避位置に向けての回転移動を規制するようになる。したがって、テーブル本体が押下方向の負荷によって退避位置に向かって跳ね上げられてしまう不測の跳ね上がり回転を起こさせないようにすることができる。一方で、テーブル本体を退避位置に向けて持ち上げるように操作する時には、４節リンク機構が上記当接により係止された方向とは反対方向に回転操作されるため、テーブル本体を簡単に退避位置に戻すことができる。
【０００８】
第２の発明は、上述した第１の発明において、次の構成とされているものである。すなわち、支持アームがテーブル本体の起こし上げられる所定の退避角度に傾斜して設けられている。２本の連結リンクのうちの一方が、テーブル本体の回転半径方向の中間部と支持アームの傾斜した先の端部とを連結し、他方が、テーブル本体の回転半径方向の内側の端部と支持アームの中間部とを連結し、一方が他方よりも短く構成されてテーブル本体を使用位置に落とし込む動きによって倒し込まれた姿勢状態となる構成とされている。
【０００９】
この第２の発明によれば、所定の退避角度に傾けられた支持アームの先端とテーブル本体の回転半径方向の中間部とを連結するリンクを他方側のリンクよりも短くすることで、この短いリンクを大きく回転させて、テーブル本体にかけられる押下荷重をより倒し込まれた角度姿勢で受けられるようにすることができる。また、テーブル本体を支持アームの先端まわりに単軸で回転させるような態様で起倒回転させられるようになるため、テーブル本体を支持アームからの離間を小さく抑えて少ない移動軌跡で動かすことができる。
【００１０】
第３の発明は、上述した第１又は第２の発明において、次の構成とされているものである。すなわち、２本の連結リンクの双方が、テーブル本体を使用位置に落とし込む動きによって、倒し込まれた姿勢状態となる構成とされている。
【００１１】
この第３の発明によれば、テーブル本体を水平姿勢の使用位置に落とし込んだ際に、２本の連結リンクの双方がテーブル本体にかけられる押下方向の負荷に対して、それぞれ回転が係止された方向に押圧力を受ける状態となるため、テーブル本体の退避位置に向けての回転移動をより適切に安定した形で規制することができる。
【図面の簡単な説明】
【００１２】
【図１】実施例１のテーブルが使用位置に展開された状態を示す斜視図である。
【図２】同正面図である。
【図３】図２の要部拡大図である。
【図４】テーブルの収納状態を示す斜視図である。
【図５】同正面図である。
【図６】同側面図である。
【図７】テーブルが収納位置から上方側に引き上げられた状態を示す斜視図である。
【図８】同正面図である。
【図９】テーブルが斜めの展開位置まで倒し込まれた状態を示す斜視図である。
【図１０】同正面図である。
【図１１】テーブルが上記斜めの展開位置から使用位置に倒し込まれた状態を示す斜視図である。
【図１２】同正面図である。
【図１３】テーブルが使用位置に展開された状態で中央領域に押下方向の負荷を受けた時の状態を示す正面図である。
【図１４】テーブルが使用位置に展開された状態で端側の領域に押下方向の負荷を受けた時の状態を示す正面図である。
【図１５】テーブルに引き上げ方向の荷重をかけた時の状態を示す正面図である。
【発明を実施するための形態】
【００１３】
以下に、本発明を実施するための形態について、図面を用いて説明する。
【実施例１】
【００１４】
始めに、実施例１のテーブル１０の構成について、図１〜図１５を用いて説明する。本実施例のテーブル１０は、図１〜図６に示すように、自動車のシート１に展開・収納可能に備えられた構成となっている。ここで、上記シート１は、着座者の背凭れとなるシートバック２と、着座部となるシートクッション３と、を有し、シートクッション３の左右両側部に上方側に立壁上に延びる支持台４を備えた構成となっている。上記各支持台４は、その上面部がアームレスト５となっており、着座者が肘掛けとして利用することができるようになっている。
【００１５】
上述したテーブル１０は、物載せとなるテーブル本体１１と、テーブル本体１１を上述したシート１の左側部に設けられた支持台４に対して動かせる状態に連結するテーブル移動装置１０Ｍと、を備えた構成となっている。ここで、上記シート１の左側部に設けられた支持台４が本発明の「ベース」に相当する。具体的には、上述したテーブル移動装置１０Ｍは、テーブル本体１１を、支持台４の内部に収納した収納位置（図４〜図６に示す位置）と、着座者の前部に水平姿勢の状態に展開させた使用位置（図１〜図３に示す位置）と、の間で移動させることができるようになっている。ここで、上述したテーブル本体１１を収納するシート１の左側部に設けられた支持台４の上面部のアームレスト５は、テーブル本体１１の展開収納時に外側に開けられて支持台４の内部空間を上方側に開口させた状態とできるように、支持台４の上面部に開閉可能にヒンジ連結された状態となっている。
【００１６】
上述したテーブル移動装置１０Ｍは、図１〜図３に示すように、テーブル本体１１を支持台４に対して支持する支持アーム１２と、支持アーム１２を支持台４に対して高さ方向にスライドさせられる状態に連結するスライダ１４と、テーブル本体１１を支持アーム１２に対して起倒回転させられる状態に連結する４節リンク機構１３と、を有する。上述したスライダ１４は、図４〜図６及び図７〜図８に示すように、支持台４の内部に設けられたガイドレール４Ａに対して高さ方向にのみ移動可能となるように組み付けられた状態とされている。
【００１７】
具体的には、上述したスライダ１４は、その前後に立板状に張り出す各嵌合部１４Ａが、支持台４内部のスライダ１４の前後位置に設けられた高さ方向に延びる各ガイドレール４Ａのレール溝４Ａ１内にそれぞれ嵌め込まれていることにより、各レール溝４Ａ１の形状に沿って高さ方向にのみ移動可能となるようにガイドされて組み付けられた状態とされている。上記スライダ１４は、図７〜図８に示すように、上述した各レール溝４Ａ１内をスライドする各嵌合部１４Ａが、各レール溝４Ａ１の上端面に当たることで、その上方側へのスライドが係止されるようになっている。
【００１８】
支持アーム１２は、テーブル本体１１より前後方向の板幅の狭い平板状の部材によって構成されており、その下端部が上述したスライダ１４の上部に対して、シート前後方向に軸方向を向ける回転軸１２Ａにより回転可能に連結された状態とされている。これにより、支持アーム１２は、図４〜図６及び図７〜図８に示すように、上述したスライダ１４上に対して、真っ直ぐ上方側に起立して、支持台４に対して高さ方向に出し入れ可能な状態となったり、図９〜図１０に示すように、回転軸１２Ａを中心にシート内側に倒されて支持台４からシート内側に張り出した状態となったりすることができる構成とされている。
【００１９】
上述した支持アーム１２は、詳しくは、図７〜図８に示すように、上述したスライダ１４が支持台４の内部において上方側への移動が係止される位置まで移動されることにより、図９〜図１０に示すように、支持台４のシート内側部に形成された開口部４Ｂからシート内側に張り出す形で倒し込むことができるようになっている。上記支持アーム１２は、スライダ１４が上記より低い位置までしか引き上げられていない状態では、上記のような倒し込みを行おうとしても、支持台４の内部側壁４Ｃに当たってしまい、倒し込みが行えないようになっている。
【００２０】
上記支持アーム１２は、上記図９〜図１０に示した状態まで倒し込まれることにより、その根元側となる下端部のシート内側面部に突出形成されたストッパ片１２Ｂが支持台４の内部側壁４Ｃの上面部に形成されたストッパ面４Ｃ１に当たり、その傾倒が係止されるようになっている。上述したストッパ片１２Ｂは、上述した支持台４の内部側壁４Ｃの上面部に形成されたストッパ面４Ｃ１に対して、高さ方向に真っ直ぐに面を当接させるようになっている。上記面当接によって、上述した支持アーム１２に連結されたスライダ１４の下方側への移動が係止された状態に留められると共に、テーブル本体１１から支持アーム１２にかけられる負荷が受け止められるようになっている。
【００２１】
テーブル本体１１は、図１〜図３に示すように、平板状の部材によって構成されており、その裏面側の中間部とシート外側の端部とが、上述した４節リンク機構１３を構成する短リンク１３Ａと長リンク１３Ｂとによって、それぞれ、支持アーム１２の上端部と中間部とにリンク連結された状態とされている。ここで、短リンク１３Ａが本発明の「２本の連結リンクのうちの一方」に相当し、長リンク１３Ｂが本発明の「２本の連結リンクのうちの他方」に相当する。これにより、テーブル本体１１は、上述した支持アーム１２に対して、４節リンク機構１３のリンク運動に伴って首振り運動することができる状態とされている。具体的には、上述したテーブル本体１１は、図９〜図１０に示すように、上述した支持アーム１２が支持台４の内部から引き出されてシート内側に斜めに倒し込まれた状態において、支持アーム１２の上に形状を重ねた斜めの退避位置と、図１１〜図１２に示すように、上記退避位置から下方側に水平角度まで落とし込まれた使用位置と、の間で支持アーム１２に対して起倒回転させられるようになっている。
【００２２】
上述したテーブル本体１１は、図９〜図１０に示すように、上述した支持アーム１２の上に形状を重ねた退避位置の状態で、図７〜図８に示すように、支持アーム１２と共にスライダ１４の上部に真っ直ぐ上方側に起立した状態に畳まれたり、図４〜図６に示すように、支持アーム１２と共に支持台４の内部に落とし込まれて収納されたりするようになっている。また、上記テーブル本体１１は、上記支持台４の内部に収納された状態から、アームレスト５を外側に開いて、その内部に露呈するテーブル本体１１を上方側へ引き上げることにより、図７〜図８に示すように、支持アーム１２と共にスライダ１４を上方側へスライドさせながら支持台４の上部に引き出される。そして、テーブル本体１１は、上記支持台４の上部に引き出された後に、支持アーム１２と共にスライダ１４に対してシート内側に倒し込むように回転させることにより、図９〜図１０に示すように、支持アーム１２と共にシート内側に斜め上がりに傾斜した姿勢状態に展開される。
【００２３】
そして、上記テーブル本体１１は、上記斜めの角度に展開されることにより、自重によって４節リンク機構１３のリンク運動に伴って支持アーム１２に対して水平角度まで落とし込まれて係止された状態となる（図１１〜図１２）。ここで、上記テーブル本体１１と支持アーム１２とを連結する４節リンク機構１３は、そのテーブル本体１１の中間部と支持アーム１２の上端部とを連結する短リンク１３Ａが、テーブル本体１１に対して横幅方向（回転半径方向）の中央部よりシート外側寄りの位置に回転軸１３Ａ１により連結された状態とされている。このように設定されていることにより、テーブル本体１１は、上記支持アーム１２と共に図９〜図１０に示す斜めの角度まで展開されることにより、自重によって自然と水平姿勢の使用位置まで落とし込まれるようになっている。また、上記設定により、テーブル本体１１は、上記水平姿勢の使用位置に落とし込まれた状態においても、その自重作用により、退避位置へ跳ね上げられにくい状態に保たれやすい構成とされている。
【００２４】
上記テーブル本体１１は、図１１〜図１２に示すように、上記水平姿勢の使用位置に落とし込まれることにより、支持アーム１２の上端部に形成された係止部１２Ｃがテーブル本体１１の底面に面当接して、その倒し込み方向の移動が係止されるようになっている。そして、上記テーブル本体１１が上記使用位置に係止される状態となることにより、４節リンク機構１３は、そのテーブル本体１１の横幅方向の中間部と支持アーム１２の上端部とを連結する短リンク１３Ａと、テーブル本体１１の横幅方向のシート外側の端部と支持アーム１２の中間部とを連結する長リンク１３Ｂとが、それぞれ、支持アーム１２との連結点（回転軸１３Ａ２，１３Ｂ２）まわりに図示右方側に傾倒した姿勢状態となる。
【００２５】
これにより、４節リンク機構１３は、テーブル本体１１の上面上のどの領域に押下方向の荷重がかけられても、短リンク１３Ａと長リンク１３Ｂとがそれぞれ上記係止部１２Ｃがテーブル本体１１に当たって係止されている回転方向に力を受ける状態となって、テーブル本体１１を水平姿勢の使用位置から押し下げたり跳ね上げたりしない状態に保つことができるなっている。具体的には、上記４節リンク機構１３は、テーブル本体１１の横幅方向の中間部と支持アーム１２の上端部とを連結する短リンク１３Ａと、テーブル本体１１の横幅方向のシート外側の端部と支持アーム１２の中間部とを連結する長リンク１３Ｂと、を有する。
【００２６】
上記短リンク１３Ａと長リンク１３Ｂとは、それぞれ、支持アーム１２の前側部と後側部とに位置する前後一対のリンク部材によって構成されている。上記短リンク１３Ａは、その前後一対の各リンク部材の上端部が、それぞれ、シート前後方向に軸方向を向ける回転軸１３Ａ１により、テーブル本体１１の上記中間部に回転可能に連結された状態とされている。また、短リンク１３Ａは、その前後一対の各リンク部材の下端部が、それぞれ、シート前後方向に軸方向を向ける回転軸１３Ａ２により、支持アーム１２の上端部に回転可能に連結された状態とされている。また、長リンク１３Ｂは、その前後一対の各リンク部材の上端部が、それぞれ、シート前後方向に軸方向を向ける回転軸１３Ｂ１により、テーブル本体１１の横幅方向のシート外側の端部に回転可能に連結された状態とされている。また、長リンク１３Ｂは、その前後一対の各リンク部材の下端部が、それぞれ、シート前後方向に軸方向を向ける回転軸１３Ｂ２により、支持アーム１２の中間部に回転可能に連結された状態とされている。
【００２７】
上記短リンク１３Ａは、長リンク１３Ｂよりも短い長さに形成されている。上記短リンク１３Ａと長リンク１３Ｂとは、それぞれ、図９〜図１０に示すように、テーブル本体１１が支持アーム１２の上面に形状を重ねるように畳まれた退避位置の状態では、それらの支持アーム１２との連結点となる各回転軸１３Ａ２，１３Ｂ２に対して、図示左方側に倒し込まれてテーブル本体１１と面一状に倒伏した姿勢状態とされるようになっている。そして、上記短リンク１３Ａと長リンク１３Ｂとは、図１１〜図１２に示すように、テーブル本体１１が上記退避位置から水平姿勢の使用位置に落とし込まれる動きによって、それぞれ、支持アーム１２との連結点となる各回転軸１３Ａ２，１３Ｂ２を中心に図示時計回り方向に回転し、支持アーム１２から起立していく。
【００２８】
そして、上記短リンク１３Ａと長リンク１３Ｂとは、テーブル本体１１が水平姿勢の使用位置に落とし込まれた状態となる時には、それぞれ、それらの角度姿勢が、それらの支持アーム１２との連結点となる各回転軸１３Ａ２，１３Ｂ２に対して図示右方側に傾倒した姿勢状態となる。詳しくは、上記短リンク１３Ａと長リンク１３Ｂとは、リンク長の短い短リンク１３Ａの方が長リンク１３Ｂよりも大きな角度範囲を回転し、長リンク１３Ｂが比較的鉛直に近い傾き角度まで倒し込まれた状態に留められるのに対して、短リンク１３Ａは比較的水平に近い傾き角度まで倒し込まれた状態とされるようになっている。そして、上記短リンク１３Ａと長リンク１３Ｂとは、それぞれ、上述したテーブル本体１１の落とし込み移動が上記水平姿勢の使用位置で支持アーム１２の係止部１２Ｃと当たって係止されることで、上述した各姿勢位置に保持された状態となる。
【００２９】
この状態では、上記短リンク１３Ａと長リンク１３Ｂとは、それぞれ、図１３に示すように、テーブル本体１１の支持アーム１２（係止部１２Ｃ）との当接点より図示左側の広い横幅領域１１Ａに押下方向の荷重Ｐ１がかけられても、この力によって支持アーム１２との連結点（回転軸１３Ａ２，１３Ｂ２）まわりに図示反時計回り方向に起こし上げられることがなく、回転止めされたままの状態に保持されるようになっている。すなわち、短リンク１３Ａが上述したように図示右方側に傾倒した姿勢となっているために、上記のような荷重Ｐ１がテーブル本体１１にかけられても、短リンク１３Ａのテーブル本体１１との連結点（回転軸１３Ａ１）には、短リンク１３Ａと支持アーム１２との連結点（回転軸１３Ａ２）を支えに、回転が規制されている下方側に押し下げられる方向（図示時計回り方向）の負荷がかけられるようになっているからである。長リンク１３Ｂについても同様である。短リンク１３Ａについては、長リンク１３Ｂよりも比較的水平に近い傾き角度まで倒し込まれているために、上記の作用が顕著となる。
【００３０】
また、上記短リンク１３Ａと長リンク１３Ｂとは、それぞれ、図１４に示すように、テーブル本体１１の支持アーム１２（係止部１２Ｃ）との当接点より図示右側の狭い横幅領域１１Ｂに押下方向の荷重Ｐ２がかけられても、この力によって支持アーム１２との連結点（回転軸１３Ａ２，１３Ｂ２）まわりに図示反時計回り方向に起こし上げられることがなく、回転止めされたままの状態に保持されるようになっている。すなわち、短リンク１３Ａが図示右方側に傾倒した姿勢となっているために、上記のような荷重Ｐ２がテーブル本体１１にかけられても、荷重Ｐ１（図１３参照）がかけられた時と同様に、短リンク１３Ａのテーブル本体１１との連結点（回転軸１３Ａ１）には、短リンク１３Ａと支持アーム１２との連結点（回転軸１３Ａ２）を支えに、回転が規制されている下方側に押し下げられる方向（図示時計回り方向）の負荷がかけられるようになっているからである。長リンク１３Ｂについても同様である。短リンク１３Ａについては、長リンク１３Ｂよりも比較的水平に近い傾き角度まで倒し込まれているために、上記の作用が顕著となる。
【００３１】
このように、テーブル本体１１は、上述した短リンク１３Ａと長リンク１３Ｂの支（つか）えによって、その上面上のどの領域に押下方向の荷重（Ｐ１，Ｐ２）がかけられても、水平姿勢の使用位置から押し下げられたり跳ね上げられたりすることがないように支えられるようになっている。上記の支え状態は、図１５に示すように、使用者がテーブル本体１１の短リンク１３Ａと連結された回転軸１３Ａ１より図示左側の領域部を上方側に持ち上げるように操作することにより簡単に解除することができる。
【００３２】
具体的には、上述したテーブル本体１１の上記図示左側の領域部を上方側に持ち上げることにより、上述した短リンク１３Ａと長リンク１３Ｂとがそれぞれ支持アーム１２との連結点（回転軸１３Ａ２，１３Ｂ２）まわりに図示反時計回り方向に起こし上げられるように操作される。これにより、テーブル本体１１が支持アーム１２と形状を重ねる退避位置まで起こし上げられる。
【００３３】
以上の動きによって、テーブル本体１１を持ち上げるだけの簡単な操作によって、４節リンク機構１３を介したテーブル本体１１の使用位置での支え状態を解除して、テーブル本体１１を支持アーム１２と形状を重ねた斜めの退避位置に移動させることができる。そして、上記テーブル本体１１を退避位置へ移動させた後、更に図７〜図８に示すようにテーブル本体１１をシート外側へ押し退けるように上方側へ持ち上げて支持アーム１２と共に支持台４の上部に起立させた状態とし、そこからスライダ１４と共に下方側に落とし込むことにより、図４〜図６に示すようにテーブル本体１１を支持台４の内部に収納した状態とすることができる。
【００３４】
以上をまとめると、本実施例のテーブル１０は次のような構成となっている。すなわち、本実施例のテーブル１０は、物載せとなるテーブル本体１１と、テーブル本体１１をベース（支持台４）に対して動かせる状態に連結するテーブル移動装置１０Ｍと、を有する。テーブル移動装置１０Ｍは、テーブル本体１１をベース（支持台４）に連結された支持アーム１２に対して、所定の退避角度まで起こし上げた退避位置と、物載せとして使用可能な水平角度まで落とし込んだ使用位置と、の間で起倒回転させられるように４節リンク機構１３を間に介して連結した構成となっている。
【００３５】
４節リンク機構１３は、テーブル本体１１と支持アーム１２とを２本の連結リンク（短リンク１３Ａと長リンク１３Ｂ）により連結し、テーブル本体１１が使用位置に落とし込まれることにより４節リンク機構１３の回転が互いに相対回転する部位間の当接（テーブル本体１１と支持アーム１２の係止部１２Ｃとの当接）により係止される構成とされ、かつ、２本の連結リンク（短リンク１３Ａと長リンク１３Ｂ）はテーブル本体１１を使用位置に落とし込む動きによってテーブル本体１１との連結点（回転軸１３Ａ１，１３Ｂ１）が支持アーム１２との連結点（回転軸１３Ａ２，１３Ｂ２）まわりに倒し込まれた姿勢状態となる構成とされて、テーブル本体１１のどの領域部に押下方向の負荷がかけられても４節リンク機構１３には上記当接により係止された方向の作用力がかけられて、テーブル本体１１の退避位置に向けての回転移動を規制するようになっている。
【００３６】
このような構成となっていることにより、テーブル本体１１を使用位置に落とし込む動きによって、４節リンク機構１３が互いに相対回転する部位間の当接（テーブル本体１１と支持アーム１２の係止部１２Ｃとの当接）により回転が係止された状態となる。このとき、４節リンク機構１３は、テーブル本体１１との各連結点（回転軸１３Ａ１，１３Ｂ１）が支持アーム１２との各連結点（回転軸１３Ａ２，１３Ｂ２）まわりに倒し込まれた姿勢状態となって回転が係止された状態となる。これにより、４節リンク機構１３は、テーブル本体１１のどの領域部に押下方向の負荷がかけられても、その回転が係止された方向に押圧力を受ける状態として、テーブル本体１１の退避位置に向けての回転移動を規制するようになる。したがって、テーブル本体１１が押下方向の負荷によって退避位置に向かって跳ね上げられてしまう不測の跳ね上がり回転を起こさせないようにすることができる。一方で、テーブル本体１１を退避位置に向けて持ち上げるように操作する時には、４節リンク機構１３が上記当接により係止された方向とは反対方向に回転操作されるため、テーブル本体１１を簡単に退避位置に戻すことができる。
【００３７】
また、支持アーム１２がテーブル本体１１の起こし上げられる所定の退避角度に傾斜して設けられている。２本の連結リンクのうちの一方（短リンク１３Ａ）が、テーブル本体１１の回転半径方向の中間部と支持アーム１２の傾斜した先の端部とを連結し、他方（長リンク１３Ｂ）が、テーブル本体１１の回転半径方向の内側の端部と支持アーム１２の中間部とを連結し、一方（短リンク１３Ａ）が他方（長リンク１３Ｂ）よりも短く構成されてテーブル本体１１を使用位置に落とし込む動きによって倒し込まれた姿勢状態となる構成とされている。
【００３８】
このように、所定の退避角度に傾けられた支持アーム１２の先端とテーブル本体１１の中間部とを連結するリンク（短リンク１３Ａ）を他方側のリンク（長リンク１３Ｂ）よりも短くすることで、この短いリンク（短リンク１３Ａ）を大きく回転させて、テーブル本体１１にかけられる押下荷重をより倒し込まれた角度姿勢で受けられるようにすることができる。また、テーブル本体１１を支持アーム１２の先端まわりに単軸で回転させるような態様で起倒回転させられるようになるため、テーブル本体１１を支持アーム１２からの離間（４節リンク機構１３を介することによって支持アーム１２から浮いてしまう離間）を小さく抑えて少ない移動軌跡で動かすことができる。
【００３９】
また、２本の連結リンクの双方（短リンク１３Ａと長リンク１３Ｂ）が、テーブル本体１１を使用位置に落とし込む動きによって、倒し込まれた姿勢状態となる構成とされている。このような構成となっていることにより、テーブル本体１１を水平姿勢の使用位置に落とし込んだ際に、２本の連結リンクの双方（短リンク１３Ａと長リンク１３Ｂ）がテーブル本体１１にかけられる押下方向の負荷に対して、それぞれ回転が係止された方向に押圧力を受ける状態となるため、テーブル本体１１の退避位置に向けての回転移動をより適切に安定した形で規制することができる。
【００４０】
以上、本発明の実施形態を１つの実施例を用いて説明したが、本発明は上記実施例のほか各種の形態で実施することができるものである。
【００４１】
例えば、テーブル本体の退避位置は、斜めの角度位置でなくてもよく、垂直な角度位置やその他の角度位置であってもよい。また、テーブル本体の展開・収納の形態は、上記実施例１で示した形態に限定されず、種々の形態を適用可能である。例えば、テーブル本体をベースに対してスライドではなく回転により展開・収納するものや、高さ方向にではなく水平方向に展開・収納するものなどが挙げられる。また、テーブル移動装置は、テーブル本体を必ずしもベースの内部に収納するものでなくてもよく、テーブル本体をベースに対して動かせる状態に連結するものとなっていればよい。
【００４２】
また、テーブル本体を水平姿勢の使用位置に落とし込んだ際に４節リンク機構の回転を止める係止構造は、４節リンク機構の回転によって互いに相対回転する関係となる部位間に設けられていればよく、支持アームとテーブル本体との間で当接させるものの他、いずれかのリンク間に設定されるものであってもよい。また、４節リンク機構は、支持アームがテーブル本体の退避する所定の退避角度に傾斜しておらず、水平角度や垂直角度となっているものに対して、テーブル本体を移動させるように設けられるものであってもよい。
【符号の説明】
【００４３】
１      シート
２      シートバック
３      シートクッション
４      支持台（ベース）
４Ａ    ガイドレール
４Ａ１  レール溝
４Ｂ    開口部
４Ｃ    内部側壁
４Ｃ１  ストッパ面
５      アームレスト
１０    テーブル
１０Ｍ  テーブル移動装置
１１    テーブル本体
１１Ａ  横幅領域
１１Ｂ  横幅領域
１２    支持アーム
１２Ａ  回転軸
１２Ｂ  ストッパ片
１２Ｃ  係止部
１３    ４節リンク機構
１３Ａ  短リンク（２本の連結リンクのうちの一方）
１３Ａ１  回転軸
１３Ａ２  回転軸
１３Ｂ  長リンク（２本の連結リンクのうちの他方）
１３Ｂ１  回転軸
１３Ｂ２  回転軸
１４      スライダ
１４Ａ    嵌合部
Ｐ１，Ｐ２  荷重
【図１】
2015217783.tif 000003
【図２】
2015217783.tif 000004
【図３】
2015217783.tif 000005
【図４】
2015217783.tif 000006
【図５】
2015217783.tif 000007
【図６】
2015217783.tif 000008
【図７】
2015217783.tif 000009
【図８】
2015217783.tif 000010
【図９】
2015217783.tif 000011
【図１０】
2015217783.tif 000012
【図１１】
2015217783.tif 000013
【図１２】
2015217783.tif 000014
【図１３】
2015217783.tif 000015
【図１４】
2015217783.tif 000016
【図１５】
2015217783.tif 000017